(57)【要約】      （修正有）【課題】簡単な構成で容易に単価を取得することが可能な単価管理装置、単価管理方法及び単価管理プログラムを提供する。【解決手段】単価管理装置１００は、制御部及び記憶部を備える。記憶部は、少なくとも、単価の種類を示す単価区分と、単価に関連する複数の項目の優先順位とを関連づけて登録した条件指定マスタと、少なくとも、単価区分と、複数の項目のデータと、及び設定単価とを関連づけて登録した汎用単価マスタと、を格納する。制御部は、入力される複数の項目のデータに基づいて、条件指定マスタで設定されている単価区分及び複数の項目の優先順位に従って、汎用単価マスタから設定単価を取得する単価取得手段を備える。【選択図】図１
2020106996.tif 000002
【特許請求の範囲】
【請求項１】
制御部及び記憶部を備えた単価管理装置であって、
前記記憶部には、
少なくとも、単価の種類を示す単価区分と、単価に関連する複数の項目の優先順位とを関連づけて登録した条件指定マスタと、
少なくとも、前記単価区分と、前記複数の項目のデータと、及び設定単価とを関連づけて登録した汎用単価マスタと、
が格納されており、
前記制御部は、入力される複数の項目のデータに基づいて、前記条件指定マスタで設定されている前記単価区分及び前記複数の項目の優先順位に従って、前記汎用単価マスタから設定単価を取得する単価取得手段を備えことを特徴とする単価管理装置。
【請求項２】
ユーザ操作に応じて、前記条件指定マスタ及び汎用単価マスタのデータを設定するマスタメンテ手段を備えたことを特徴とする請求項１に記載の単価管理装置。
【請求項３】
前記単価区分は、売上単価、仕入単価、及び運賃単価を含むことを特徴とする請求項１又は２に記載の単価管理装置。
【請求項４】
前記複数の項目は、得意先、売上事業所、納入先、及び商品を含むことを特徴とする請求項１〜３のいずれか１つに記載の単価管理装置。
【請求項５】
制御部及び記憶部を備えた情報処理装置に実行させるための単価管理方法であって、
前記記憶部には、
少なくとも、単価の種類を示す単価区分と、単価に関連する複数の項目の優先順位とを関連づけて登録した条件指定マスタと、
少なくとも、前記単価区分と、前記複数の項目のデータと、及び設定単価とを関連づけて登録した汎用単価マスタと、
が格納されており、
前記制御部において実行される、
入力される複数の項目のデータに基づいて、前記条件指定マスタで設定されている前記単価区分及び前記複数の項目の優先順位に従って、前記汎用単価マスタから設定単価を取得する単価取得工程を含むことを特徴とする単価管理方法。
【請求項６】
制御部及び記憶部を備えた情報処理装置に実行させるための単価取得プログラムであって、
前記記憶部には、
少なくとも、単価の種類を示す単価区分と、単価に関連する複数の項目の優先順位とを関連づけて登録した条件指定マスタと、
少なくとも、前記単価区分と、前記複数の項目のデータと、及び設定単価とを関連づけて登録した汎用単価マスタと、
が格納されており、
前記制御部において、
入力される複数の項目のデータに基づいて、前記条件指定マスタで設定されている前記単価区分及び前記複数の項目の優先順位に従って、前記汎用単価マスタから設定単価を取得する単価取得工程を実行させるための単価管理プログラム。
【発明の詳細な説明】
【技術分野】
【０００１】
本発明は、単価管理装置、単価管理方法、及び単価管理プログラムに関する。
【背景技術】
【０００２】
従来、販売管理や仕入管理等では、業界の慣習や得意先・仕入先毎に様々な販売単価や仕入単価が存在するため、単価マスタの設定が困難であった。単価を取得する装置として、例えば、特許文献１がある。かかる特許文献１では、システムマスタリード手段は、システムマスタを読み込んで、各単価マスタを読み込む優先順位（単価マスタ優先順位）を記憶する。キー情報取得手段は、各単価マスタのキー情報を含む情報を取得する。キー情報取得手段は、受注入力画面上で入力された得意先コードに基づいて、得意先マスタを用いて、単価マスタのキー情報である得意先分類コードを取得する。また、キー情報取得手段は、例えば、受注入力画面上で入力された商品コードに基づいて、商品マスタを用いて、単価マスタのキー情報である商品分類コードを取得する。単価マスタリード手段は、キー情報取得手段により取得されたキー情報に基づいて、システムマスタリード手段により記憶されている、各単価マスタを読み込む優先順位（単価マスタ優先順位）に従って、単価マスタを読み込んで単価（マスタ単価）を取得する。
【先行技術文献】
【特許文献】
【０００３】
【特許文献１】特開２００６−３５０４０５号公報
【発明の概要】
【発明が解決しようとする課題】
【０００４】
しかしながら、特許文献１では、単価を取得する場合に複数の単価マスタを用意する必要があるため、システム構成が複雑となり、また、単価取得時の要素が増減した場合に、システムの変更が必要となる。
【０００５】
本発明は、上記に鑑みてなされたものであり、条件指定マスタと汎用単価マスタの２つのマスタのみを使用して、簡単な構成で容易に単価を取得することが可能な単価管理装置、単価管理方法、及び単価管理プログラムを提供することを目的とする。
【課題を解決するための手段】
【０００６】
上述した課題を解決し、目的を達成するために、本発明は、  制御部及び記憶部を備えた単価管理装置であって、前記記憶部には、少なくとも、単価の種類を示す単価区分と、単価に関連する複数の項目の優先順位とを関連づけて登録した条件指定マスタと、少なくとも、前記単価区分と、前記複数の項目のデータと、及び設定単価とを関連づけて登録した汎用単価マスタと、が格納されており、前記制御部は、入力される複数の項目のデータに基づいて、前記条件指定マスタで設定される前記単価区分及び前記複数の項目の優先順位に従って、前記汎用単価マスタから設定単価を取得する単価取得手段を備えことを特徴とする。
【０００７】
また、本発明の好ましい態様によれば、ユーザ操作に応じて、前記条件指定マスタ及び汎用単価マスタのデータを設定するマスタメンテ手段を備えていてもよい。
【０００８】
また、本発明の好ましい態様によれば、前記単価区分は、売上単価、仕入単価、及び運賃単価を含むことにしてもよい。
【０００９】
また、本発明の好ましい態様によれば、前記複数の項目は、得意先、売上事業所、納入先、及び商品を含むことにしてもよい。
【００１０】
また、上述した課題を解決し、目的を達成するために、本発明は、制御部及び記憶部を備えた情報処理装置に実行させるための単価管理方法であって、前記記憶部には、少なくとも、単価の種類を示す単価区分と、単価に関連する複数の項目の優先順位とを関連づけて登録した条件指定マスタと、少なくとも、前記単価区分と、前記複数の項目のデータと、及び設定単価とを関連づけて登録した汎用単価マスタと、が格納されており、前記制御部において実行される、入力される複数の項目のデータに基づいて、前記条件指定マスタで設定される単価区分及び前記複数の項目の優先順位に従って、前記汎用単価マスタから設定単価を取得する単価取得工程を含むことを特徴とする。
【００１１】
また、上述した課題を解決し、目的を達成するために、本発明は、制御部及び記憶部を備えた情報処理装置に実行させるための単価取得プログラムであって、前記記憶部には、
少なくとも、単価の種類を示す単価区分と、単価に関連する複数の項目の優先順位とを関連づけて登録した条件指定マスタと、少なくとも、前記単価区分と、前記複数の項目のデータと、及び設定単価とを関連づけて登録した汎用単価マスタと、が格納されており、前記制御部において、入力される複数の項目のデータに基づいて、前記条件指定マスタで設定される単価区分及び前記複数の項目の優先順位に従って、前記汎用単価マスタから設定単価を取得する単価取得工程を実行させるための単価管理プログラムであることを特徴とする。
【発明の効果】
【００１２】
本発明によれば、条件指定マスタと汎用単価マスタの２つのマスタのみを使用して、簡単な構成で容易に単価を取得することが可能となるという効果を奏する。
【図面の簡単な説明】
【００１３】
【図１】図１は、本実施の形態に係る単価管理装置の一例を示すブロック図である。
【図２】図２は、単価区分マスタの構成例を示す図である。
【図３】図３は、条件指定マスタの構成例を示す図である。
【図４】図４は、汎用単価マスタの構成例を示す図である。
【図５】図５は、単価管理装置の制御部の全体の処理の流れの概略を説明するためのフローチャートである。
【図６】図６は、単価区分マスタの具体例１を示す図である。
【図７】図７は、条件指定マスタの具体例１を示す図である。
【図８】図８は、汎用単価マスタの具体例１を示す図である。
【図９】図９は、具体例１の売上単価取得を説明するための図である。
【図１０】図１０は、具体例２の売上単価取得を説明するための図である。
【図１１】図１１は、具体例３の条件指定マスタのデータ例（変更後）を示す図である。
【図１２】図１２は、具体例３の汎用単価マスタ１０６ｃのデータ例（変更後）を示す図である。
【図１３】図１３は、条件指定マスタの変更前の売上単価取得を説明するための図である。
【図１４】図１４は、条件指定マスタの変更前の売上単価取得を説明するための図である。
【発明を実施するための形態】
【００１４】
本発明の実施形態を図面に基づいて詳細に説明する。なお、本発明は本実施形態により限定されるものではない。
【００１５】
［１．概要］
従来、単価管理を行う場合に、業界によっては、流通毎に単価設定を行っているところがあり、単価の決定にかかわる要素が多い場合、その組み合わせた分だけ単価マスタを用意し、新たな取得ロジックを構築する必要があった。また、単価取得時の要素が増減した場合にシステム変更を要する点なども問題であった。
【００１６】
そこで、本実施の形態では、条件指定マスタにて単価取得のルール（条件）を決め、汎用単価マスタにて条件に合致した単価を取得することにより、２つのマスタだけで単価取得を容易に行うことを可能とする。より具体的には、業種・業界で様々な単価取得のルール（条件）があったとしても、専用の単価マスタをそれぞれ作成することなく、汎用単価マスタを使用して単価マスタを一元化することで、条件指定マスタで条件を決めるだけで単価取得が可能となる。
【００１７】
また、本実施の形態では、利用者が条件指定マスタ及び汎用単価マスタのデータを設定可能な構成とすることで、単価設定に係る要素（商品、取引先、商流など）及び要素を参照する優先順位を利用者が自由に決めることが可能となる。
【００１８】
［２．構成］
本実施形態に係る単価管理装置の構成の一例について、図面を参照して説明する。
【００１９】
図１は、本実施の形態に係る単価管理装置の一例を示すブロック図である。単価管理装置１００は、市販のデスクトップ型パーソナルコンピュータである。なお、単価管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２０】
単価管理装置１００は、制御部１０２と通信インターフェース部１０４と記憶部１０６と入出力インターフェース部１０８と、を備えている。単価管理装置１００が備えている各部は、任意の通信路を介して通信可能に接続されている。  
【００２１】
通信インターフェース部１０４は、ルータ等の通信装置および専用線等の有線又は無線の通信回線を介して、単価管理装置１００をネットワーク３００に通信可能に接続する。通信インターフェース部１０４は、他の装置と通信回線を介してデータを通信する機能を有する。ここで、ネットワーク３００は、単価管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。これにより、通信インターフェース部１０４は、ネットワーク３００を介して、サーバ２００とデータ通信可能に構成されている。
【００２２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。  
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。また、この記憶部１０６は、単価区分マスタ１０６ａと、条件指定マスタ１０６ｂと、汎用単価マスタ１０６ｃと、データファイル１０６ｄとを備えている。図２は、単価区分マスタ１０６ａの構成例を示す図である。図３は、条件指定マスタ１０６ｂの構成例を示す図である。図４は、汎用単価マスタ１０６ｃの構成例を示す図である。
【００２４】
単価区分マスタ１０６ａは、単価区分の名称表示用に使用するためのマスタである。単価区分マスタ１０６ａは、図２に示すように、単価区分と表示名のデータを関連づけて登録したテーブル等で構成することができる。「単価区分」は、１：売上単価、２：仕入単価、３：運賃単価など、それぞれの用途に応じて単価区分を設定する。
【００２５】
条件指定マスタ１０６ｂは、汎用単価マスタ１０６ｃから単価を取得する場合に、単価区分及び単価に関わる要素である各キー項目（条件）を参照する優先順位を設定するためのマスタである。条件指定マスタ１０６ｂは、図３に示すように、単価区分、単価に関する要素であるキー項目１〜８、必須区分、優先順位、及び表示名のデータを関連づけて登録したテーブル等で構成することができる。必須区分の「〇」は、優先順位の最上位とする。「表示名」は、汎用単価マスタ１０６ｃの各キー項目の名称表示に使用する。
【００２６】
汎用単価マスタ１０６ｃは、各種の業種・業界で各種の単価設定を行う場合に汎用的に使用可能な一元化したマスタである。汎用単価マスタ１０６ｃは、図４に示すように、単価区分、適用期間（期間開始〜期間終了）、単価に関する要素である複数のキー項目１〜８、及び設定単価のデータを関連づけて登録したテーブル等で構成することができる。キー項目の数は任意に設定可能である。
【００２７】
適用期間（「期間開始」〜「期間終了」）は、指定が必須であり、同一単価区分、同一キー項目で重複する期間は指定不可である。「キー項目」は、条件指定マスタ１０６ｂにて必須指定（必須項目「〇」）にした項目は必ず設定が必要である。任意項目の場合は指定が必要な項目のみ設定する（例えば、キー項目３と５だけ設定する等）。
【００２８】
データファイル１０６ｄは、例えば、受注データ、発注（仕入）データ、売上データ等の各種データを格納するためのファイルである。
【００２９】
制御部１０２は、単価管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、入力処理部１０２ａと、単価取得部１０２ｂと、マスタメンテ部１０２ｃと、画面制御部１０２ｄとを備えている。
【００３０】
入力処理部１０２ａは、モニタ１１４に表示される入力画面（例えば、受注入力画面、発注（仕入）入力画面、売上入力画面）において、オペレータの操作等に応じて、汎用単価マスタ１０６ｃで設定される複数のキー項目のデータである基本情報（例えば、売上入力の場合は、計上日、売上事業所、得意先、納入先、商品のデータ）を入力する。
【００３１】
単価取得部１０２ｂは、入力処理部１０２ａで入力される基本情報に基づいて、条件指定マスタ１０６ｂで設定される単価区分及び複数のキー項目の優先順位に従って、汎用単価マスタ１０６ｃから設定単価を取得する。単価区分は、売上単価、仕入単価、及び運賃単価を含むことにしてもよい。複数のキー項目は、得意先、売上事業所、納入先、及び商品を含むことにしてもよい。
【００３２】
マスタメンテ部１０２ｃは、モニタ１１４に表示される不図示のマスタメンテ画面上でのオペレータの操作に応じて、単価区分マスタ１０６ａ、条件指定マスタ１０６ｂ、汎用単価マスタ１０６ｃに対して、データの入力・追加・削除・変更等の編集（設定）を行うためのものである。これにより、単価設定に係る要素（商品、取引先、商流など）及び要素を参照する優先順位を利用者が自由に決めることが可能となる。
【００３３】
画面制御部１０２ｄは、モニタ１１４に表示する各種画面（例えば、受注入力画面、発注（仕入）入力画面、売上入力画面、マスタメンテ画面等）の表示及びその入力を制御する。
【００３４】
［３．具体例］
本実施の形態に係る単価管理装置１００の制御部１０２の処理の具体例について、図１〜図１４を参照して説明する。以下では、一例として、「売上単価」を取得する場合について説明する。図５は、単価管理装置１００の制御部１０２の全体の処理の流れの概略を説明するためのフローチャートである。
【００３５】
図５を参照して、単価管理装置１００の制御部１０２の全体の処理の流れの概略を説明する。図５において、マスタメンテ部１０２ｃは、不図示のマスタメンテ画面上でオペレータの操作に応じて、条件指定マスタ１０６ｂや汎用単価マスタ１０６ｃのデータを設定する（ステップＳ１）。
【００３６】
入力処理部１０２ａは、モニタ１１４に表示される入力画面において、オペレータの操作等に応じて、基本情報を入力する（ステップＳ２）。例えば、売上単価の場合は、計上日、売上事業所、得意先、納入先、商品等データの基本情報を入力する。
【００３７】
単価取得部１０２ｂは、基本情報に基づいて、条件指定マスタ１０６ｂで設定される単価区分及び複数の項目の優先順位に従って、汎用単価マスタ１０６ｃから設定単価を取得して（ステップＳ３）、取得結果を入力画面に表示出力する（ステップＳ４）。
【００３８】
図６〜図１４のサンプルデータを参照して、単価管理装置１００の制御部１０２の処理の具体例を説明する。
【００３９】
（具体例１）
図６〜図９を参照して、具体例１を説明する。具体例１では、単価区分＝１（売上単価）を取得する場合について説明する。図６は、単価区分マスタ１０６ａの具体例１を示す図である。図７は、条件指定マスタ１０６ｂの具体例１を示す図である。図８は、汎用単価マスタ１０６ｃの具体例１を示す図である。図９は、具体例１の売上単価取得を説明するための図である。
【００４０】
図６に示す単価区分マスタ１０６ａの例では、１行目は、単価区分「１」、表示名「売上単価」、２行目は、単価区分「２」、表示名「仕入単価」、３行目は、単価区分「３」、表示名「運賃単価」となっている。
【００４１】
図７に示す条件指定マスタ１０６ｂの例では、単価区分が全て「１（売上単価）」となっており、キー項目１には「得意先」、キー項目２には「売上事業所」、キー項目３には「商品」、キー項目４には「納入先」が設定されている。１行目は、キー項目「キー項目１」、必須区分「〇」、キー項目１の表示名「得意先」となっている。２行目は、キー項目「キー項目２」、優先順位「１」、キー項目２の表示名「得意先」となっている。３行目は、キー項目「キー項目３」、優先順位「３」、キー項目３の表示名「商品」となっている。４行目は、キー項目「キー項目４」、優先順位「２」、キー項目４の表示名「納入先」となっている。
【００４２】
このように、図７に示す条件指定マスタ１０６ｂでは、得意先（必須区分「〇」であるので優先順位の最上位となる）＞売上事業所（優先順位「１」）＞納入先（優先順位「２」）＞商品（優先順位「３」）の順に売上単価取得の優先順位が設定されている。
【００４３】
図８に示す汎用単価マスタ１０６ｃの例では、可読性のため、横軸は、図７に示す条件指定マスタ１０６ｂの優先順位順にキー項目を並び替え、縦軸は、取得優先順位順（単価区分、使用期間、得意先ごと）に行を並び替えている。
【００４４】
１行目は、単価区分「１」、時期開始「８月１日」、時期終了「８月３１日」、キー項目１「得意先Ａ」、キー項目２「事業所００１」、キー項目４「納入先「００１」、キー項目３「商品００１」、単価設定「￥１，０００．００」となっている。２行目は、単価区分「１」、時期開始「８月１日」、時期終了「８月３１日」、キー項目１「得意先Ａ」、キー項目２「事業所００１」、キー項目４「納入先「００１」、単価設定「￥１，２００．００」となっている。３行目は、単価区分「１」、時期開始「８月１日」、時期終了「８月３１日」、キー項目１「得意先Ａ」、キー項目２「事業所００１」、キー項目３「商品００１」、単価設定「￥１，４００．００」となっている。
【００４５】
図９において、不図示の入力画面（例えば、売上入力画面）で、図９（Ａ）に示すような基本情報（計上日「８／１０」、売上事業所「事業所００１」、得意先「得意先Ａ」、納入先「納入先００１」、商品「商品００１」）が入力されると、基本情報（計上日「８／１０」、売上事業所「事業所００１」、得意先「得意先Ａ」、納入先「納入先００１」、商品「商品００１」）に基づいて、条件指定マスタ１０６ｂで設定される単価区分＝１（売上単価）及びキー項目の優先順位（得意先＞売上事業所＞納入先＞商品）に従って、汎用単価マスタ１０６ｃから売上単価（設定単価）を取得する。
【００４６】
図９（Ｂ）において、汎用単価マスタ１０６ｃでは、使用期間（計上日８／１０：期間内）、得意先（得意先Ａ）、事業所（事業所００１）＞納入先（納入先００１）＞商品（商品００１と完全一致する明細が１行目に存在するため、売上単価である設定単価「￥１，０００．００」を取得して、例えば、図９（Ｃ）に示すような取得結果を入力画面に出力する。
【００４７】
（具体例２）
図１０を参照して、具体例２を説明する。図１０は、具体例２の売上単価取得を説明するための図である。具体例２では、具体例１において、不図示の入力画面（例えば、売上入力画面）で、図１０（Ａ）に示すように、商品「商品００１」の替わりに、商品「商品００２」が入力された場合について説明する。条件指定マスタ１０６ｂ及び汎用単価マスタ１０６ｃは、具体例１（図７，８）と同様である。
【００４８】
図１０（Ｂ）において、使用期間（計上日８／１０：期間内）、得意先（得意先Ａ）、事業所（事業所００１）＞納入先（納入先００１）が一致する明細が２行目に存在するため、売上単価である設定単価「￥１，２００．００」を取得して、例えば、図１０（Ｃ）に示すような取得結果を入力画面に出力する。キー項目については、不一致の場合よりも設定されていないものを優先する。「商品００２」について、１行目では、「商品００１」となっているが、未設定の２行目を優先する。また、「商品００２」と一致するような明細（例えば、９行目の単価「￥１，５００．００」）もあるが、優先順位順に単価取得を行うため、売上事業所と納入先が先に一致する２行目の設定単価を取得する。
【００４９】
（具体例３）
図１１〜図１４を参照して、具体例３を説明する。図１１は、具体例３の条件指定マスタ１０６ｂのデータ例（変更後）を示す図である。具体例３では、図１１に示すように、図７に示す具体例１において、条件指定マスタ１０６ｂのキー項目３（商品）とキー項目４（納入先）の優先順位を入れ替え、キー項目３（商品）の優先順位を「３」→「２」に変更し、キー項目４（納入先）の優先順位を「２」→「３」に変更したものである。
【００５０】
図１２は、具体例３の汎用単価マスタ１０６ｃのデータ例（変更後）を示す図である。図１２に示す具体例３の汎用単価マスタ１０６ｃのデータ例（変更後）では、図８に示す具体例１（変更前）において、キー項目３（商品）とキー項目４（納入先）の優先順位を入れ替えたものとなっている。
【００５１】
図１３は、条件指定マスタ１０６ｂの変更前（図７）の売上単価取得を説明するための図である。図１３において、不図示の入力画面（例えば、売上入力画面）で、図１３（Ａ）に示すような基本情報（計上日「８／１０」、売上事業所「事業所００２」、得意先「得意先Ａ」、納入先「納入先００１」、商品「商品００２」）が入力されると、基本情報（計上日「８／１０」、売上事業所「事業所００２」、得意先「得意先Ａ」、納入先「納入先００１」、商品「商品００２」）に基づいて、条件指定マスタ１０６ｂで設定される単価区分＝１（売上単価）及びキー項目の優先順位（得意先＞売上事業所＞納入先＞商品）に従って、汎用単価マスタ１０６ｃから売上単価を取得する。
【００５２】
図１３（Ｂ）において、使用期間（計上日「８／１０」）、得意先（得意先Ａ）＞納入先（納入先００１）が一致する明細が６行目に存在するため、売上単価である設定単価「￥２，０００．００」を取得する。
【００５３】
図１４は、条件指定マスタ１０６ｂの変更後（図１１）の売上単価取得を説明するための図である。図１４において、不図示の入力画面（例えば、売上入力画面）で、図１４（Ａ）に示すような基本情報（計上日「８／１０」、売上事業所「事業所００２」、得意先「得意先Ａ」、納入先「納入先００１」、商品「商品００２」）が入力されると、基本情報（計上日「８／１０」、売上事業所「事業所００２」、得意先「得意先Ａ」、納入先「納入先００１」、商品「商品００２」）、条件指定マスタ１０６ｂで設定される単価区分＝１（売上単価）及びキー項目の優先順位（得意先＞売上事業所＞商品＞納入先）に基づいて、汎用単価マスタ１０６ｃから売上単価を取得する。
【００５４】
図１４（Ｂ）において、使用期間（計上日「８／１０」）、得意先（得意先Ａ）＞商品（商品００２）が一致する明細が９行目に存在するため、売上単価である設定単価「￥１，５００．００」を取得する。なお、上記具体例では、売上単価の場合について説明したが、仕入単価や運賃単価の場合にも、これら用に条件指定マスタ１０６ｂ及び汎用単価マスタ１０６ｃのデータを設定することで実施可能である。
【００５５】
以上説明したように、本実施の形態によれば、少なくとも、単価の種類を示す単価区分と、単価に関連する複数の項目の優先順位とを関連づけて登録した条件指定マスタ１０６ｂと、少なくとも、前記単価区分と、前記複数の項目のデータと、及び設定単価とを関連づけて登録した汎用単価マスタ１０６ｃと、入力処理部１０２ａにより入力される複数の項目のデータに基づいて、条件指定マスタ１０６ｂで設定される単価区分及び複数の項目の優先順位に従って、汎用単価マスタ１０６ｃから設定単価を取得する単価取得部１０２ｂを備えているので、業種・業界で様々な単価取得のルール（条件）があったとしても、専用の単価マスタをそれぞれ作成することなく、汎用単価マスタを使用して単価マスタを一元化することで、条件指定マスタで条件を決めるだけで単価を取得することができ、簡単な構成で容易に単価を取得することが可能となる。
【００５６】
また、ユーザ操作に応じて、条件指定マスタ１０６ｂ及び汎用単価マスタ１０６ｃのデータを設定するマスタメンテ部１０２ｃを備えているので、単価設定に係る要素（商品、取引先、商流など）及び要素を参照する優先順位を利用者が自由に決めることが可能となる。
【００５７】
［４．他の実施形態］
本発明は、上述した実施形態以外にも、特許請求の範囲に記載した技術的思想の範囲内において種々の異なる実施形態にて実施されてよいものである。  
【００５８】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００５９】
また、本明細書中や図面中で示した処理手順、制御手順、具体的名称、各処理の登録データや検索条件等のパラメータを含む情報、画面例、データベース構成については、特記する場合を除いて任意に変更することができる。  
【００６０】
また、単価管理装置１００に関して、図示の各構成要素は機能概念的なものであり、必ずしも物理的に図示の如く構成されていることを要しない。  
【００６１】
例えば、単価管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて単価管理装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。  
【００６２】
また、このコンピュータプログラムは、単価管理装置１００に対して任意のネットワークを介して接続されたアプリケーションプログラムサーバに記憶されていてもよく、必要に応じてその全部または一部をダウンロードすることも可能である。  
【００６３】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００６４】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００６５】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００６６】
また、単価管理装置１００は、既知のパーソナルコンピュータまたはワークステーション等の情報処理装置として構成してもよく、また、任意の周辺装置が接続された当該情報処理装置として構成してもよい。また、単価管理装置１００は、当該情報処理装置に本実施形態で説明した処理を実現させるソフトウェア（プログラムまたはデータ等を含む）を実装することにより実現してもよい。  
【００６７】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。  
【符号の説明】
【００６８】
１００  単価管理装置
１０２  制御部
１０２ａ  入力処理部
１０２ｂ  単価取得部
１０２ｃ  マスタメンテ部
１０２ｄ  画面制御部
１０４  通信インターフェース部
１０６  記憶部
１０６ａ  単価区分マスタ
１０６ｂ  条件指定マスタ
１０６ｃ  汎用単価マスタ
１０６ｄ  データファイル
１０８  入出力インターフェース部
１１２  入力装置
１１４  出力装置
３００  ネットワーク
【図１】
2020106996.tif 000003
【図２】
2020106996.tif 000004
【図３】
2020106996.tif 000005
【図４】
2020106996.tif 000006
【図５】
2020106996.tif 000007
【図６】
2020106996.tif 000008
【図７】
2020106996.tif 000009
【図８】
2020106996.tif 000010
【図９】
2020106996.tif 000011
【図１０】
2020106996.tif 000012
【図１１】
2020106996.tif 000013
【図１２】
2020106996.tif 000014
【図１３】
2020106996.tif 000015
【図１４】
2020106996.tif 000016